(57)【要約】【課題】服用する薬を服用する順に配置した医薬品容器において、複数の人の医薬品容器の集中管理が容易で、且つ簡易な手段で、間違いなく服用する本人であることを確認可能な手段を提供する。【解決手段】服用する医薬品のセットがマトリクス状に配置された医薬品包装体１であって、医薬品のセットを収納する複数の収納部３と、各収納部を封止するシールシート２とを備え、複数の収納部は、樹脂シートに形成された凹部がマトリクス状に配置されてなり、シールシートは、収納部の各々の開口部９に接着され、収納部を剥離容易、且つ切り取り容易に封止し、且つ収納部全体より大きく備えられ、且つシールシートの側端部８には、複数のとじ穴５が備えられており、収納部または医薬品包装体には、少なくとも服用する本人であることを確認可能な情報が記録された情報記録媒体が付与され、個々の収納部のシールシートには、服用ミス防止の印字が印刷されている。【選択図】図１
2019005041.tif 000002
【特許請求の範囲】
【請求項１】
服用する医薬品のセットがマトリクス状に配置された医薬品包装体であって、
医薬品のセットを収納する複数の収納部と、各収納部を封止するシールシートと、を備えており、
複数の収納部は、樹脂シートに形成された凹部がマトリクス状に配置されてなり、
シールシートは、マトリクス状に配置された複数の収納部の各々の開口部に接着され、個々の収納部を剥離容易に封止し、且つ複数の収納部全体より大きく備えられており、且つシールシートの側端部には、医薬品包装体をファイリング可能とする複数のとじ穴が備えられており、
隣接する収納部の間には、個々の収納部を切り取り容易にする切り取り線が備えられており、
個々の収納部またはシールシートまたは医薬品包装体には、少なくとも服用する本人であることを確認可能な情報が記録された情報記録媒体と服用ミス防止の印字が付与されていることを特徴とする医薬品包装体。
【請求項２】
前記情報記録媒体が、印刷されたバーコードまたは二次元コードであることを特徴とする請求項１に記載の医薬品包装体。
【請求項３】
前記情報記録媒体が、ＲＦＩＤモジュールであることを特徴とする請求項１に記載の医薬品包装体。
【請求項４】
請求項１〜３のいずれかに記載の前記医薬品包装体を、前記とじ穴を用いてファイリング可能な医薬品包装体の保管・搬送用具であって、
表紙と、裏表紙と、背表紙と、を備えており、
表紙と裏表紙および裏表紙と背表紙とは、連接部にて折り曲げ可能に連接されており、
裏表紙の内側（医薬品包装体側）には、前記医薬品包装体の複数のとじ穴に対応して該医薬品包装体を積層する方向に整列させてファイリング可能とするとじ具が、起立して備えられており、
背表紙の内側（医薬品包装体側）には、ファイリングされた医薬品包装体がとじ具から外れない様にする手段が備えられていることを特徴とする医薬品包装体の保管・搬送用具。
【発明の詳細な説明】
【技術分野】
【０００１】
本発明は、医薬品包装体とそれを保管し、搬送容易とする保管・搬送用具に関する。
【背景技術】
【０００２】
近年、高齢化社会が進展する中で、医薬品を服用する人口が増加している。例えば、高齢者は、血圧降下剤、コレステロール降下剤、血糖値降下剤、などを毎日、複数回に亘って服用する場合がある。また入院中の患者の場合は、毎日、朝・昼・晩・寝る直前などに亘って、複数の種類の医薬品を、数量も間違えずに、また忘れずに服用しなければならない。
【０００３】
この様な状況の中、通常、医薬品は複数の紙袋に、種類別に入れられた状態で利用者に渡されているのが現状である。その紙袋には、医薬品の名称、一回に服用する数量、および時間帯が記載されているのが通常である。
【０００４】
この様に多種類の医薬品を、指定された時間帯に、それぞれの紙袋から必要数量取り出し、服用することは困難な場合が多い。そのため、忘れずに服用可能とするための手段が求められていた。
【０００５】
そのような要望に対応して、例えば、特許文献１には、患者が当面必要な一回服用分の薬を容易に取り出して携帯したり管理したりすることができ、且つ薬剤師ではない患者、近親者、介護士などが薬を間違えてお薬カレンダーのポケットの中に入れてしまうなどのリスクを無くすことができるお薬カレンダーが開示されている。これは、一回に服用する薬のセットが収納された複数の収納部がマトリクス状に配置され、互いに接続部を介して収納部が連接されており、且つ分離可能に構成されているお薬カレンダーである。
【０００６】
具体的には、カレンダーの様に、横方向に１日分の必要数の収納部が配置され、縦方向には例えば日毎に収納部が繰り返し配置されており、患者は、下側から順次、収納部を連接部で切り離して使用することで、忘れずに、服用すべき薬を選択する必要もなく、確実に、服用可能とするものである。
【０００７】
この技術は、一人の人が家でカレンダーの様に身近に設置して利用する場合は、服用すべき薬を確実に服用可能とすることができる優れた技術であるが、病院や介護施設などにおいて複数の人の服用すべき薬を、集中的に管理することは、考慮されていない。
【先行技術文献】
【特許文献】
【０００８】
【特許文献１】特許第６０３５４６９号公報
【発明の概要】
【発明が解決しようとする課題】
【０００９】
上記の事情に鑑み、本発明は、カレンダーの様に、服用する薬を収納部に服用する順に配置した医薬品容器において、複数の人の医薬品容器の集中管理が容易であり、且つ簡易な手段で、間違いなく服用可能とする手段を提供することを課題とする。
【課題を解決するための手段】
【００１０】
上記の課題を解決する手段として、本発明の請求項１に記載の発明は、服用する医薬品のセットがマトリクス状に配置された医薬品包装体であって、
医薬品のセットを収納する複数の収納部と、各収納部を封止するシールシートと、を備えており、
複数の収納部は、樹脂シートに形成された凹部がマトリクス状に配置されてなり、
シールシートは、マトリクス状に配置された複数の収納部の各々の開口部に接着され、個々の収納部を剥離容易に封止し、且つ複数の収納部全体より大きく備えられており、且つシールシートの側端部には、医薬品包装体をファイリング可能とする複数のとじ穴が備えられており、
隣接する収納部の間には、個々の収納部を切り取り容易にする切り取り線が備えられており、
個々の収納部またはシールシートまたは医薬品包装体には、少なくとも服用する本人であることを確認可能な情報が記録された情報記録媒体と服用ミス防止の印字が付与されていることを特徴とする医薬品包装体である。
【００１１】
また、請求項２に記載の発明は、前記情報記録媒体が、印刷されたバーコードまたは二次元コードであることを特徴とする請求項１に記載の医薬品包装体である。
【００１２】
また、請求項３に記載の発明は、前記情報記録媒体が、ＲＦＩＤモジュールであることを特徴とする請求項１に記載の医薬品包装体である。
【００１３】
また、請求項４に記載の発明は、請求項１〜３のいずれかに記載の前記医薬品包装体を、前記とじ穴を用いてファイリング可能な医薬品包装体の保管・搬送用具であって、
表紙と、裏表紙と、背表紙と、を備えており、
表紙と裏表紙および裏表紙と背表紙とは、連接部にて折り曲げ可能に連接されており、
裏表紙の内側（医薬品包装体側）には、前記医薬品包装体の複数のとじ穴に対応して該医薬品包装体を積層する方向に整列させてファイリング可能とするとじ具が、起立して備えられており、
背表紙の内側（医薬品包装体側）には、ファイリングされた医薬品包装体がとじ具から外れない様にする手段が備えられていることを特徴とする医薬品包装体の保管・搬送用具である。
【発明の効果】
【００１４】
本発明の医薬品包装体によれば、個々の収納部のシールシートの表面に服用ミス防止の印字がなされている上に、服用する本人であることを確認可能な情報が記録された情報記録媒体として、バーコードまたは二次元コードが印刷されているため、視認することにより、服用する人、日付、時間帯を確認でき、更にバーコードまたは二次元コードを読み取り装置によって読み取ることで、確実に、服用すべき人に服用させることが可能となる。
情報記録媒体としては、収納部に備えられたＲＦＩＤを使用することもできる。
【００１５】
また、本発明の医薬品包装体の保管・搬送用具によれば、医薬品包装体をその側端部に備えられた複数のとじ穴を使用して、保管・搬送用具の裏表紙に備えられたとじ具によって、医薬品包装体を整列させて積層可能である。裏表紙に起立したとじ具に積層して整列させた医薬品包装体を、目視によって、切り離されているべき収納部が残留しているかどうか、を確認することができる。
【図面の簡単な説明】
【００１６】
【図１】本発明の医薬品包装体の一例を示す斜視図。
【図２】本発明の医薬品包装体の保管・搬送用具の一例を示す斜視図である。
【図３】本発明の医薬品包装体に使用するシールシートの積層構成の一例を示す断面図。
【図４】本発明の医薬品包装体の構成を説明する断面説明図であって、（ａ）は連接して備えられた収納部と収納部の間に形成されている平坦部および開口部を例示した断面図、（ｂ）は収納部の開口部をシールシートによって封止された医薬品包装体のシールシートの側端部にファイリング可能とするとじ穴が形成された状態を例示した断面図、である。
【図５】本発明の医薬品包装体の構成例を説明する断面説明図である。
【図６】本発明の医薬品包装体の保管・搬送用具の使用方法を例示する概略断面図であって、（ａ）は表紙を閉じた状態、（ｂ）は表紙を開けた状態であり、全ての医薬品包装体が使用されていない状態、（ｃ）は表紙を開けた状態で、保管・搬送用具にファイリングされた医薬品包装体のうち、表紙側から３番目の医薬品包装体において、切り取られているべき収納部が残っていることを目視Ａの位置で確認できる状態、をそれぞれ示している。
【発明を実施するための形態】
【００１７】
＜医薬品包装体＞
本発明の医薬品包装体は、服用する医薬品のセットがマトリクス状に配置された医薬品包装体である。
また、本発明の医薬品包装体は、医薬品のセットを収納する複数の収納部と、各収納部を封止するシールシートと、を備えている。
【００１８】
複数の収納部は、樹脂シートに形成された凹部がマトリクス状に配置されている。
シールシートは、マトリクス状に配置された複数の収納部の各々の開口部に接着され、個々の収納部を剥離容易に、且つ複数の収納部全体より大きく備えられており、且つシールシートの周縁部において、収納部より外側に張り出した側端部には、医薬品包装体をファイリング可能とする複数のとじ穴が備えられている。
【００１９】
また、隣接する収納部の間には、平坦部が形成されており、その平坦部には、個々の収納部を切り取り容易とする切り取り線が形成されている。
【００２０】
また、個々の収納部または医薬品包装体には、少なくとも服用する本人であることを確認可能な情報が記録された情報記録媒体が付与されている。また、個々の収納部のシールシートには、服用ミス防止の印字が印刷されている。
【００２１】
情報記録媒体は、シールシート上に印刷されたバーコードや二次元コードであっても良いし、医薬品包装体または個々の収納部に付与されたＲＦＩＤモジュールであっても良い。
【００２２】
図１は、本発明の医薬品包装体１を例示した斜視図である。服用すべき薬のセットが各収納部３に収納された後、シールシート２によって封止されることで完成する。
【００２３】
シールシート２には、個々の収納部３を容易に切り取り可能とする切り取り線４が形成されている。隣接する収納部３の間には、収納部３を構成する材料と同じ材料からなる平坦な部分が存在する。その平坦部７（図４および図５参照）で収納部３とシールシート２とが接合され、収納部３が密封される。その平坦部７があることにより、切り取り線４で１つの収納部３を切り取っても、収納部３の密封性は保持される。医薬品包装体１側の収納部３も密封性が保持される。
【００２４】
シールシート２の表面には、服用ミスを防止するための各種の情報が印字されている。例えば、服用する人の氏名、朝・昼・夜などの服用する時間帯、などが印字されている。また、本発明の医薬品包装体１では、バーコードや二次元コードが印刷されている。このコードには、少なくとも服用する人の情報が記録されており、服用する人に付与されているバーコードや二次元コードと照合することにより、服用する人を間違えることが無い様にすることが可能である。
【００２５】
シールシート２の周縁部において、医薬品包装体１の外周に位置する収納部３より外側に張り出した側端部には、医薬品包装体１をファイリング可能とする複数のとじ穴５が備えられている。医薬品包装体１の外形が矩形である場合、ファイリング可能であれば、四辺のどの辺にとじ穴５が備えられていても良い。
【００２６】
本発明の医薬品包装体１を構成する収納部３やシールシート２を構成する材料は、特に限定されない。例えば、収納部３の材料としては、ポリエチレン、ポロプロピレン、ポリ塩化ビニル、ポリエチレンテレフタレート、などを好適に使用可能である。シールシート２についても同様である。
【００２７】
＜医薬品包装体の製造方法＞
本発明の医薬品包装体１の製造方法について図１を参照しながら説明する。
まず、マトリクス状に医薬品を収納する凹部である収納部３を作製する。収納部３の作製方法は特に限定する必要はない。例えば、熱可塑性の樹脂シートを用意し、その樹脂シートを、作製する収容部３の配置に合せて形成されている雄の金型と雌の金型を用いて熱プレスする事によって作製することが可能である。また、同様に、金型を使用した射出成形によっても作製する事が可能である。その他、所望の凹部がマトリクス状に配置した収納部が形成可能であれば、どのような方法であっても良い。
【００２８】
次に、形成した収納部３に服用する医薬品のセットを順次入れて行く。医薬品のセットは、個々の収納部３の位置によって異なっている場合がある。入れる手段は、人が実施しても良いし、専用装置を使用しても良い。
【００２９】
次に、シールシート２を収納部３に接着し、封止する。シールシート２には、服用者の固有情報と服用する日付、時間帯（朝、昼、晩、寝る直前、または時刻など）が、個々の収納部３ごとに印字、印刷されている。または、印字、印刷されていないシールシート２を収納部３に接着後、インクジェット印刷機を使用して印刷しても構わない。インクジェット印刷を行う場合は、シールシート２の表面に、インクジェット印刷機による印刷を可能とする表面処理を実施しておけば良い。その他の印字、印刷を行う場合も、それらに適する表面処理を実施しておけば良い。また、服用者の固有情報は、ＲＦＩＤを医薬品包装体１または各収納部３に備えておくことでも良い。
【００３０】
また、隣接する収納部３の間には、シールシート２の接着を良好に実施できるようにするため、収納部３の凹部の最も高い位置に平坦部７（図４および図５参照）を備えている。この平坦部７により、シールシート２は良好に接着可能となると同時に、シールシート２の切り取り線４で収納部３を切り取った時に、隣接する収納部３の端部でシールシート２が剥れることを防ぐことができる。シールシート２の接着は、接着剤を使用しても良いし、ホットメルトを使用しても良い。ただし、これらの接着剤およびホットメルトは、容易に剥離可能なものを選択する。そうすることにより、切り取った収納部３を封止しているシールシート２を容易に剥離可能とすることができる。
【００３１】
また、シールシート２には、上述したように、切り取り線４が形成されている。切り取り線４は、ミシン目でも良いし、カッターによる弱め線でも良いし、レーザー加工機に形成した弱め線であっても構わない。切り取り線４は、シールシート２に貫通形成したミシン目などの弱め線だけでなく、隣接する収納部３の平坦部７（図５参照）にも形成されていることが望ましい。そうすることにより、収納部３をより容易に切り取ることが可能となる。
【００３２】
以上の様にして、医薬品包装体１を作製した後、医薬品包装体１の外周に位置する収納
部３より外側に張り出した側端部８（図５参照）に、医薬品包装体１をファイリング可能とする複数のとじ穴５を形成する。とじ穴５を形成する手段としては、特に限定する必要はない。通常の２穴の事務用のパンチを使用して形成可能である。また、専用のパンチ穴形成装置を使用しても良い。また、２穴に限定する必要はなく、複数のとじ穴５を形成すれば良い。図２に例示された保管・搬送用具１０は２穴のとじ穴５の場合を例示しているが、保管・搬送用具１０に備えられたとじ具６に合わせたとじ穴５を形成しておけば良い。例えば、１０本のとじ具を備えたファイルにも使用可能であり、また２本のとじ具を備えたファイルにも使用可能とするとじ穴５を備えておけば良い。ただし、医薬品包装体が、保管・搬送用具にファイリングされ、積層された状態において、医薬品包装体の収納部が積層方向に整列されていることが必要である。
【００３３】
＜医薬品包装体の保管・搬送用具＞
次に、図２と図６を使用して本発明の医薬品包装体の保管・搬送用具１０を説明する。
本発明の医薬品包装体の保管・搬送用具１０は、医薬品包装体１を、とじ穴５を用いてファイリング可能な医薬品包装体の保管・搬送用具１０である（図２参照）。
【００３４】
本発明の医薬品包装体の保管・搬送用具１０は、表紙１１と、裏表紙１３と、背表紙１２と、を備えている。
【００３５】
また、表紙１１と裏表紙１３および裏表紙１３と背表紙１２とは、連接部１４にて折り曲げ可能に連接されている。
【００３６】
また、裏表紙１３の内側（医薬品包装体側）には、医薬品包装体１の複数のとじ穴５に対応して該医薬品包装体１を積層する方向に整列させてファイリング可能とするとじ具６が、起立して備えられている。
【００３７】
また、背表紙１２の内側（医薬品包装体側）には、ファイリングされた医薬品包装体１がとじ具６から外れない様にする手段（図示省略）が備えられている。
【００３８】
（表紙、背表紙、裏表紙）
表紙１１、背表紙１２、裏表紙１３を構成する材料は、医薬品包装体１を複数積層したものをファイリングした保管・搬送用具の使用に耐えることができる機械的な強度がある材料であれば、特に限定する必要は無い。例えば事務用のファイルに使用されている厚紙や各種の樹脂シートなどを好適に使用できる。また、透明な樹脂シートを使用すれば、表紙１１を開けることなく、本発明の医薬品包装体の保管・搬送用具１０にファイリングされた個々の医薬品包装体１の状態を目視可能である。
【００３９】
（連接部）
連接部１４は、それぞれ、表紙１１と背表紙１２および背表紙１２と裏表紙１３を折り曲げ可能に連接する部位である。例えば、表紙１１、背表紙１２、裏表紙１３に、厚紙を使用した場合は、１つの矩形の厚紙に対して、連接部１４となる折り曲げる部位を線状にプレス加工して形成することができる。厚紙の代わりに樹脂シートを用いた場合も、同様である。また、表紙１１、背表紙１２、裏表紙１３として個別に矩形に加工して、それらをそれぞれ折り曲げ可能な部材で接合しても良い。折り曲げ可能な部材としては、例えば蝶番（ちょうつがい）を使用することができる。
【００４０】
（とじ具）
本発明の医薬品包装体の保管・搬送用具１０に備えられているとじ具６は、裏表紙１３に起立して備えられた複数の棒状の物品である。医薬品包装体１を、医薬品包装体１のシールシート２の周縁部の側端部８（図５参照）に備えられた複数のとじ穴５にとじ具６を通して、順次ファイリングする。そうすることにより、医薬品包装体の保管・搬送用具１０にファイリングされると同時に、医薬品包装体１は積層される方向に整列することになる。とじ具６の材料としては、各種の金属を好適に使用できる。例えば鉄系の棒状または円柱状または円筒状の材料が挙げられる。錆の発生を防止するためのスズめっき、亜鉛めっき、ニッケルめっきなどの表面処理をした材料でも良い。機械的な強度を備えた樹脂製のものであっても良い。
【００４１】
以上に説明したとじ具６は棒状の部材であるが、これに限定する必要はない。棒の様に直線状でなくても構わない。例えば、結束バンドの様な樹脂製の結束バンドであっても構わない。この様な樹脂製の結束バンドで結束した状態で、積層した医薬品包装体１が積層した方向に整列可能であれば良い。更に、とじ具６の形態は、積層した医薬品包装体１が積層した方向に整列可能であればいかなるものであっても構わない。
【００４２】
（ファイリングされた医薬品包装体がとじ具６から外れない様にする手段）
本発明の医薬品包装体１の保管・搬送用具１０は、ファイリングされた医薬品包装体１がとじ具６から外れない様にする手段（図示省略）を備えている。そのような手段としては、例えば、通常の事務用のファイルに使用されている手段を好適に使用可能である。具体的には、裏表紙１３に起立して備えられた複数のとじ具６を金属製の円筒状の物品として、その物品に医薬品包装体１のとじ穴６を通して、順次積層する。その後、円筒状のとじ具６の孔に、金属製の部材上に、とじ具６の孔に挿入可能な、とじ具６の数と位置に合わせた棒状の部材が起立した物品をとじ具６の孔に挿入し、固定することにより、ファイリングされた医薬品包装体１がとじ具６から外れない様にすることができる。以上は一例に過ぎず、ファイリングされた医薬品包装体１がとじ具６から外れない様にする手段であれば、いかなる形態、方式の手段であっても構わない。
【００４３】
＜医薬品包装体の保管・搬送用具を使用した医薬品の服用チェック方法＞
本発明の医薬品包装体の保管・搬送用具１０にファイリングされた複数の医薬品包装体１が、決められた様に服用されているかどうか、をチェックする方法について説明する。
【００４４】
まず、本発明の医薬品包装体の保管・搬送用具１０の表紙１１を開け、とじ具６に、順次、所定数の医薬品包装体１を通し、積層することによって、ファイリングする。
【００４５】
次に、ファイリングされた医薬品包装体１がとじ具６から外れない様にする手段（図示省略）によって、ファイリングされた医薬品包装体１がとじ具６から外れない様にする部材をとじ具６に取り付ける。とじ具６から外れない様にする部材は、特に限定する必要はなく、いかなる形態であっても構わない。
【００４６】
次に、表紙１１を閉じることによって、所定数の医薬品包装体１の医薬品包装体の保管・搬送用具１０へのファイリングを完了する。
【００４７】
この様な、所定数の医薬品包装体１をファイリングした医薬品包装体の保管・搬送用具１０は、容易に搬送可能である。また、この状態で保管することも可能である。
【００４８】
図６を用いて、この様な医薬品包装体の保管・搬送用具１０にファイリングされている所定数の医薬品包装体１について、決められたタイミングで医薬品が服用されているかどうか、をチェックする方法を説明する。
【００４９】
図６（ａ）は、上記のように、所定数の医薬品包装体１が、医薬品包装体の保管・搬送用具１０にファイリングされ、表紙１１が閉じられた状態を例示する断面図である。裏表紙１３に起立して備えられたとじ具６に、４つの医薬品包装体１のとじ穴５（図１参照）
を通すことにより、積層方向に整列してファイリングされている。
【００５０】
図６（ｂ）は、図６（ａ）の状態から、表紙１１を開けた状態を例示している。表紙１１は連接部１４を介して背表紙１２と連接しており、表紙１１は連接部１４を支点として回転可能である。この様に表紙１１を開くと、積層され、積層方向に整列した所定数の医薬品包装体１を、その上方から目視可能となる。図６（ｂ）に例示した目視Ａ〜目視Ｄの位置で目視することにより、服用すべき医薬品のセットが包装された収納部３（図１参照）が残留しているかどうか、を目視可能である。図６（ｃ）は、所定数、この場合４つ、の医薬品包装体１が積層された状態において、上から３番目の医薬品包装体１でまだ服用されていない収納部３が残留していることが、目視Ａの位置で目視することによりわかる。
【００５１】
＜医薬品包装体を使用した医薬品服用者と医薬品包装体の確認方法＞
本発明の医薬品包装体を使用した医薬品服用者と医薬品包装体の確認方法は、医薬品服用者に付与されている医薬品服用者の固有情報を記録したバーコードまたは二次元コードを読み取る手順Ａと、医薬品包装体のバーコードまたは二次元コードに記録されている医薬品服用者の固有情報を読み取る手順Ｂと、工程Ａと工程Ｂで読み取った医薬品服用者の固有情報を比較し、医薬品服用者の固有情報が一致している場合は医薬品の服用を許可し、不一致の場合は医薬品の服用を許可しない判定手順と、を備えている。
【００５２】
医薬品服用者に付与されている医薬品服用者の固有情報は、バーコードまたは二次元コードに限定する必要はなく、情報記録媒体として、例えばＲＦＩＤモジュールとしても良い。また、医薬品包装体のバーコードまたは二次元コードに記録されている医薬品服用者の固有情報は、同様に、ＲＦＩＤモジュールとしても良い。情報記録媒体が印字、印刷されたバーコードまたは二次元コードであれば、光学的な読取り手段を使用して読み取ればよい。またＲＦＩＤモジュールを使用した場合は、ＲＦＩＤ用の読取装置を使用して情報を読み取ることができる。
【００５３】
読み取った、医薬品服用者の固有情報と、医薬品包装体の情報と、を照合する手段としては、パーソナルコンピュータを好適に使用可能である。専用の照合プログラムをインストールして置くことによって、双方の情報が一致するのか、不一致なのか、を即時に判定することができる。
【符号の説明】
【００５４】
１・・・医薬品包装体
２・・・シールシート
３・・・収納部
４・・・切り取り線
５・・・とじ穴
６・・・とじ具
７・・・平坦部
８・・・シールシートの側端部
９・・・開口部
１０・・・保管・搬送用具
１１・・・表紙
１２・・・背表紙
１３・・・裏表紙
１４・・・連接部
【図１】
2019005041.tif 000003
【図２】
2019005041.tif 000004
【図３】
2019005041.tif 000005
【図４】
2019005041.tif 000006
【図５】
2019005041.tif 000007
【図６】
2019005041.tif 000008